(57)【特許請求の範囲】
【請求項１】
パネルゾーンから梁部が張り出すとともに前記パネルゾーンの上に短柱状の柱部が設けられているプレキャスト梁部材を使用する柱梁架構の構築方法であって、
ｎ階用のプレキャスト梁部材の柱部にｎ＋１階用のプレキャスト柱部材を載置し、前記柱部に前記プレキャスト柱部材の下端部を仮固定する柱部材配置工程と、
ｎ＋１階用の前記プレキャスト柱部材にｎ＋１階用のプレキャスト梁部材のパネルゾーンを載置し、ｎ＋１階用の前記プレキャスト柱部材の上端部に前記パネルゾーンを仮固定する梁部材配置工程とを有し、
ｎ階用の前記プレキャスト梁部材のパネルゾーンがｎ階用のプレキャスト柱部材の上端部に仮固定された状態で、かつ、ｎ階においてスラブコンクリートを打設する前に、前記柱部材配置工程を開始し、
ｎ＋１階用の前記プレキャスト柱部材の下端部がｎ階用の前記プレキャスト梁部材の前記柱部に仮固定された状態で、前記梁部材配置工程を開始する、ことを特徴とする柱梁架構の構築方法。
【請求項２】
前記柱部材配置工程では、前記柱部と前記プレキャスト柱部材との境界部分を取り囲むように柱固定治具を配置し、前記柱部および前記プレキャスト柱部材に前記柱固定治具を固定することで、前記プレキャスト柱部材の下端部を前記柱部に仮固定する、ことを特徴とする請求項１に記載の柱梁架構の構築方法。
【請求項３】
一つのパネルゾーンから二つまたは三つの梁部が張り出すとともに前記パネルゾーンの上に短柱状の柱部が設けられているプレキャスト梁部材を使用する柱梁架構の構築方法であって、
ｎ階用のプレキャスト梁部材の柱部にｎ＋１階用のプレキャスト柱部材を載置し、前記柱部に前記プレキャスト柱部材の下端部を仮固定する柱部材配置工程と、
ｎ＋１階用の前記プレキャスト柱部材にｎ＋１階用のプレキャスト梁部材のパネルゾーンを載置し、ｎ＋１階用の前記プレキャスト柱部材の上端部に前記パネルゾーンを仮固定する梁部材配置工程とを有し、
ｎ階用の前記プレキャスト梁部材のパネルゾーンがｎ階用のプレキャスト柱部材の上端部に仮固定された状態で、かつ、ｎ階においてスラブコンクリートを打設する前に、前記柱部材配置工程を開始し、
ｎ＋１階用の前記プレキャスト柱部材の下端部がｎ階用の前記プレキャスト梁部材の前記柱部に仮固定された状態で、前記梁部材配置工程を開始する、ことを特徴とする柱梁架構の構築方法。
【発明の詳細な説明】
【技術分野】
【０００１】
本発明は、柱梁架構の構築方法に関する。
【背景技術】
【０００２】
プレキャスト梁部材とプレキャスト柱部材とで柱梁架構を構築する際の効率を上げるための工法として、特許文献１には、（１）ｎ階用のプレキャスト柱部材の上面の縁部にｎ階用のプレキャスト梁部材の端部を載置するとともに、ｎ階用のプレキャスト柱部材の上方にｎ＋１階用のプレキャスト柱部材を立設する、（２）ｎ階スラブのスラブ配筋を行う、（３）パネルゾーンとなる空間およびスラブ型枠上にコンクリートを打設し、所定強度に達するまで養生を行う、（４）ｎ＋１階用のプレキャスト柱部材の上縁部にｎ＋１階用のプレキャスト梁部材を載置する、という手順が開示されているが、この工法では（３）の工程があることから、各階の柱梁架構を構築するサイクルがあまり短縮されない。
【先行技術文献】
【特許文献】
【０００３】
【特許文献１】特開平７−５４３９６号公報
【発明の概要】
【発明が解決しようとする課題】
【０００４】
一般的に実施されているＲＣ積層工法では、例えば床面積が1000〜1400（ｍ2）程度の建物の場合であれば、ｎ階用のプレキャスト柱部材の上方にｎ＋１階用のプレキャスト柱部材を立設するまでに最低でも５〜６日を要していた。
【０００５】
このような観点から、本発明は、工期短縮を図ることが可能な柱梁架構の構築方法を提供することを課題とする。
【課題を解決するための手段】
【０００６】
本発明は、パネルゾーンから梁部が張り出すとともに前記パネルゾーンの上に短柱状の柱部が設けられているプレキャスト梁部材を使用する柱梁架構の構築方法であって、ｎ階用のプレキャスト梁部材の柱部にｎ＋１階用のプレキャスト柱部材を載置し、前記柱部に前記プレキャスト柱部材の下端部を仮固定する柱部材配置工程と、ｎ＋１階用の前記プレキャスト柱部材にｎ＋１階用のプレキャスト梁部材のパネルゾーンを載置し、ｎ＋１階用の前記プレキャスト柱部材の上端部に前記パネルゾーンを仮固定する梁部材配置工程とを有し、ｎ階用の前記プレキャスト梁部材のパネルゾーンがｎ階用のプレキャスト柱部材の上端部に仮固定された状態で、かつ、ｎ階においてスラブコンクリートを打設する前に、前記柱部材配置工程を開始し、ｎ＋１階用の前記プレキャスト柱部材の下端部がｎ階用の前記プレキャスト梁部材の前記柱部に仮固定された状態で、前記梁部材配置工程を開始する、ことを特徴とする。
【０００７】
本発明によれば、ｎ階スラブの完成を待たずして、ｎ＋１階用のプレキャスト柱部材およびプレキャスト梁部材を配置することができるので、ｎ階スラブの完成後に柱部材配置工程および梁部材配置工程を行う場合に比べて、揚重機械の稼働率が向上し、ひいては、工期短縮を図ることが可能となる。すなわち、本発明によれば、ｎ階スラブを構築するためのスラブ配筋工程やスラブコンクリート打設工程と並行して柱部材配置工程および梁部材配置工程を行うことが可能となるので、例えば、スラブ配筋工程およびスラブコンクリート打設工程に２日を要する場合であれば、１フロアにつき２日の工期短縮を図ることができる。
【０００８】
前記柱部材配置工程では、前記柱部と前記プレキャスト柱部材との境界部分を取り囲むように柱固定治具を配置し、前記柱部および前記プレキャスト柱部材に前記柱固定治具を固定することで、前記プレキャスト柱部材の下端部を前記柱部に仮固定することが好ましい。柱部とプレキャスト柱部材との境界部分には、グラウトや高流動モルタルなどの充填材を注入する必要があるところ、境界部分を囲むように柱固定治具を配置すれば、柱固定治具を充填材用の型枠として利用することができるので、作業の効率化を図ることが可能となる。
【０００９】
なお、プレキャスト梁部材として、一つのパネルゾーン（柱梁接合部）から一つ乃至三つの梁部が張り出すとともに前記パネルゾーンの上に短柱状の柱部が設けられているものを使用すると、一つのパネルゾーンから四つの梁部が張り出す十字型のプレキャスト梁部材に比べて、プレキャスト梁部材の運搬が容易になる。
【発明の効果】
【００１０】
本発明によれば、工期の短縮を図ることが可能となる。
【図面の簡単な説明】
【００１１】
【図１】基準階におけるプレキャスト梁部材の割り付け図である。
【図２】（ａ）はＩ型プレキャスト梁部材を示す平面図、（ｂ）はＬ型プレキャスト梁部材を示す平面図、（ｃ）はＴ型プレキャスト梁部材を示す平面図である。
【図３】（ａ）はプレキャスト梁部材の側面図、（ｂ）はプレキャスト柱部材の側面図である。
【図４】（ａ）は本発明の実施形態に係る柱梁架構の構築方法における工程表、（ｂ）は一般的に実施されているＲＣ積層工法における工程表である。
【図５】本発明の実施形態に係る柱梁架構の構築方法を説明するための側面図であって、ｎ階の床部材配置工程まで完了した状況を示す側面図である。
【図６】ｎ＋１階の柱部材配置工程を説明するための側面図である。
【図７】ｎ＋１階の梁部材配置工程を説明するための側面図であって、ｎ＋１階用のプレキャスト梁部材を載置した状態を示す側面図である
【図８】ｎ＋１階の梁部材配置工程を説明するための側面図であって、ｎ＋１階用のプレキャスト梁部材を仮固定した状態を示す側面図である。
【図９】ｎ階のスラブコンクリート打設工程を説明するための側面図である。
【図１０】（ａ）〜（ｆ）はプレキャスト梁部材の変形例を示す平面図である。
【発明を実施するための形態】
【００１２】
本発明の実施形態に係る柱梁架構の構築方法は、鉄筋コンクリート製のプレキャスト梁部材およびプレキャスト柱部材を利用するものであり、多層階建ての建物Ａに適用される。
【００１３】
図１に示すように、建物Ａの基準階（柱梁の配置パターンを同じくする複数の階の代表となる階）には、Ｉ型プレキャスト梁部材ＢI、Ｌ型プレキャスト梁部材ＢLおよびＴ型プレキャスト梁部材ＢTが配置されていて、これらプレキャスト梁部材ＢI、ＢL、ＢTによって、矩形枠状の外周フレームＡ１と、矩形枠状の内周フレームＡ２とが形成されている。図示は省略するが、基準階と同一構成の階におけるプレキャスト梁部材ＢI，ＢL，ＢTの割り付け図も、図１と同様である。
【００１４】
Ｉ型プレキャスト梁部材ＢIおよびＬ型プレキャスト梁部材ＢLは、直方体状のパネルゾーン１から二つの梁部２，２が張り出すパネルゾーン一体型のプレキャスト梁部材であり、Ｔ型プレキャスト梁部材ＢTは、直方体状のパネルゾーン１から三つの梁部２，２，２が張り出すパネルゾーン一体型のプレキャスト梁部材である。すなわち、建物Ａでは、基準階に配置される複数のプレキャスト梁部材の総てが、一つのパネルゾーン１から二つ又は三つの梁部２が張り出すパネルゾーン一体型のプレキャスト梁部材ＢI，ＢL，ＢTである。
【００１５】
図２を参照してプレキャスト梁部材ＢI，ＢL，ＢTの構成を説明するが、図２においては、コンクリート部分の外形のみを図示し、鉄筋の図示を省略している。
【００１６】
図２の（ａ）に示すＩ型プレキャスト梁部材ＢIは、一つのパネルゾーン１と、平面視Ｉ字状（直線状）となるように配置された二つの梁部２，２と、パネルゾーン１の上に設けられた短柱状の柱部３（図３の（ａ）参照）とを備えている。すなわち、Ｉ型プレキャスト梁部材ＢIでは、パネルゾーン１の一側面から一方の梁部２が張り出し、一側面の対面（一側面と平行な他側面）から他方の梁部２が張り出している。梁部２の長さ（パネルゾーン１の側面から梁部２の先端面までの距離）ｄ1，ｄ2は、いずれも、パネルゾーン１の幅寸法（柱寸法）Ｄの１倍以上（ｄ1≧１Ｄ、ｄ2≧１Ｄ）である。
【００１７】
図２の（ｂ）に示すＬ型プレキャスト梁部材ＢLは、外周フレームＡ１（図１参照）の角部に配置されるものであり、一つのパネルゾーン１と、平面視Ｌ字状となるように配置された長短二つの梁部２，２と、パネルゾーン１の上に設けられた短柱状の柱部（図示略）とを備えている。すなわち、Ｌ型プレキャスト梁部材ＢLでは、パネルゾーン１の一側面から一方の梁部２が張り出し、一側面の隣接面（一側面に直交する他側面）から他方の梁部２が張り出している。梁部２の長さｄ1，ｄ2は、いずれも、パネルゾーン１の幅寸法（柱寸法）Ｄの１倍以上（ｄ1≧１Ｄ、ｄ2≧１Ｄ）である。
【００１８】
図２の（ｃ）に示すＴ型プレキャスト梁部材ＢTは、一つのパネルゾーン１と、平面視Ｔ字状となるように配置された三つの梁部２，２，２と、パネルゾーン１の上に設けられた短柱状の柱部（図示略）とを備えている。すなわち、Ｔ型プレキャスト梁部材ＢTでは、パネルゾーン１の三つの側面から梁部２が張り出している。梁部２の長さｄ1，ｄ2，ｄ3は、いずれも、パネルゾーン１の幅寸法（柱寸法）Ｄの１倍以上（ｄ1≧１Ｄ、ｄ2≧１Ｄ、ｄ3≧１Ｄ）である。
【００１９】
図１に示すように、Ｔ型プレキャスト梁部材ＢTには、パネルゾーン１が外周フレームＡ１を構成するもの（外周用のＴ型プレキャスト梁部材ＢT）と、パネルゾーン１が内周フレームＡ２を構成するもの（内周用のＴ型プレキャスト梁部材ＢT）とがある。
【００２０】
なお、外周用のＴ型プレキャスト梁部材ＢTのうち、外周フレームＡ１の一部分となるのは、パネルゾーン１のほか、パネルゾーン１を挟んで直線状に並ぶ二つの梁部２，２である。外周用のＴ型プレキャスト梁部材ＢTに係る三つの梁部２，２，２のうち、直線状に並ぶ二つの梁部２，２は、外周フレームＡ１を構成するＩ型プレキャスト梁部材ＢIの梁部２またはＬ型プレキャスト梁部材ＢLの梁部２に接続されており、残り一つの梁部２は、内周フレームＡ２に向かって張り出していて、内周用のＴ型プレキャスト梁部材ＢTの梁部２に接続されている。
【００２１】
また、内周用のＴ型プレキャスト梁部材ＢTのうち、内周フレームＡ２の一部分となるのは、パネルゾーン１のほか、パネルゾーン１を挟んでＬ字状に並ぶ二つの梁部２，２である。内周用のＴ型プレキャスト梁部材ＢTに係る三つの梁部２，２，２のうち、Ｌ字状に並ぶ二つの梁部２，２は、内周フレームＡ２を構成するＩ型プレキャスト梁部材ＢIの梁部２に接続されており、残り一つの梁部２は、外周フレームＡ１に向かって張り出していて、外周用のＴ型プレキャスト梁部材ＢTの梁部２に接続されている。
【００２２】
なお、以下の説明において、プレキャスト梁部材ＢI，ＢL，ＢTを区別しない場合には、符号「Ｂ」に付した添え字を省略する。
【００２３】
図３の（ａ）を参照して、プレキャスト梁部材Ｂの構成を詳細に説明する。ちなみに、図３の（ａ）に示すプレキャスト梁部材Ｂは、「Ｉ型」である。
【００２４】
プレキャスト梁部材Ｂは、ハーフプレキャスト部材であり、図３の（ａ）に示す状態で工場から出荷される。図示は省略するが、プレキャスト梁部材Ｂをフルプレキャスト部材としても差し支えない。
【００２５】
パネルゾーン１および柱部３には、これらを上下に貫通する鉄筋挿通孔１ａ，１ａ，…が形成されているとともに、鉄筋挿通孔１ａ，１ａ，…を取り囲むように帯筋（図示略）が配筋されている。鉄筋挿通孔１ａには、図３の（ｂ）に示すプレキャスト柱部材Ｐの柱主筋４ａが挿通される。鉄筋挿通孔１ａは、シース管等により形成される。
【００２６】
梁部２には、梁主筋２ａ，２ａのほか、あばら筋などが配筋されている。下側の梁主筋２ａの両端部は、コンクリート部の端面から突出しており、両端部を除く残りの部分は、コンクリート部に埋設されている。上側の梁主筋２ａは、パネルゾーン１を貫通する部分を除いて外部に露出している。
【００２７】
柱部３は、柱脚となる部位であり、パネルゾーン１の上に位置している。柱部３は、短柱状を呈していて、パネルゾーン１と一体成形されている。柱部３の下端はスラブ天端と一致しており、柱部３の上端はスラブ天端よりも高いところに位置している。柱部３の上端部には、荷重受けボルト３ａが植設されている。荷重受けボルト３ａは、プレキャスト柱部材Ｐを仮受けするものであり、その上に載置されたプレキャスト柱部材Ｐのレベル調整を行えるよう、柱部３に埋設されたインサートナット（図示略）に螺着されている。荷重受けボルト３ａの位置や個数は限定されるものではないが、本実施形態では、柱部３の上面の四隅に設けている。
【００２８】
図３の（ｂ）を参照して、プレキャスト柱部材Ｐの構成を説明する。プレキャスト柱部材Ｐは、直方体状のコンクリート部４を有している。コンクリート部４には、柱主筋４ａ，４ａ，…のほか、帯筋（図示略）などが配筋されている。コンクリート部４の下端部には、鉄筋継手用のスリーブ４ｂが埋設されており、コンクリート部４の上端部には、荷重受けボルト４ｃが植設されている。柱主筋４ｂの上部は、コンクリート部４の上面から突出しており、柱主筋４ａの下端部は、スリーブ４ｂ内に所定長さ（定着長）分差し込んでいる。荷重受けボルト４ｃは、プレキャスト梁部材Ｂを仮受けするものであり、その上に載置されたプレキャスト梁部材Ｂのレベル調整を行えるよう、コンクリート部４に埋設されたインサートナット（図示略）に螺着されている。荷重受けボルト４ｃの位置や個数は限定されるものではないが、本実施形態では、コンクリート部４の上面の四隅に設けている。
【００２９】
次に、図４乃至図９を参照して、プレキャスト梁部材Ｂおよびプレキャスト柱部材Ｐを使用した柱梁架構の構築方法を説明する。
【００３０】
なお、以下では、ｎ階を基準階とし、ｎ階用のプレキャスト梁部材Ｂおよびプレキャスト柱部材Ｐに添え字「ｎ」を、ｎ＋１階用のプレキャスト梁部材Ｂおよびプレキャスト柱部材Ｐに添え字「ｎ＋１」を付す。ｎ＋１階は、ｎ階（基準階）と同一構成である。
【００３１】
本実施形態に係る柱梁架構の構築方法は、図４の（ａ）に示すように、柱部材配置工程と、梁部材配置工程と、床部材配置工程と、スラブ配筋工程と、スラブコンクリート打設工程とを含むものである。多層階建ての建物Ａにおいては、ｎ階（基準階）だけでなく、ｎ階と同一構成の階（ｎ＋１階以上の階）においても上記の各工程を実行する。ｎ階の柱部材配置工程、梁部材配置工程および床部材配置工程は、ｎ＋１階の柱部材配置工程に先だって行われる。また、ｎ階のスラブ配筋工程は、ｎ＋１階の柱部材配置工程および梁部材配置工程と並行して行われ、ｎ階のスラブコンクリート打設工程は、ｎ＋１階の梁部材配置工程と並行して行われる。なお、必要に応じて、ｎ階の床スラブを構築する前に上階のプレキャスト柱部材Ｐn+1やプレキャスト梁部材Ｂn+1を設置してもよい。
【００３２】
図５は、ｎ階において柱部材配置工程、梁部材配置工程および床部材配置工程を実行した後の状態を示すものである。
ｎ階用のプレキャスト梁部材Ｂnのパネルゾーン１は、梁固定治具７によってｎ階用のプレキャスト柱部材Ｐnの上端部に仮固定されており、プレキャスト梁部材Ｂnの梁部２は、サポート部材６によってプレキャスト柱部材Ｐnに仮支持されている。プレキャスト柱部材Ｐnの柱主筋４ａは、プレキャスト梁部材Ｂnの鉄筋挿通孔１ａ（図３の（ａ）参照）に挿通されていて、柱部３から突出している。プレキャスト梁部材Ｂnは、隣り合う他のプレキャスト梁部材Ｂnと間隔をあけた状態で配置されており、当該間隔を取り囲むように型枠９（図５においては底板のみを図示し、側板の図示は省略している）が配置されている。また、梁主筋２ａは、鉄筋継手２ｂを介して他のプレキャスト梁部材Ｂnの梁主筋２ａと連結されている。鉄筋継手２ｂの種類に制限はなく、機械式継手のほか、重ね継手、添え筋重ね継手、エンクローズド溶接継手などを適用することができる。
なお、図５中の符号Ｓnは、床部材配置工程によって設置されたｎ階用のプレキャスト床部材である。プレキャスト床部材Ｓnは、スラブ型枠を兼ねる鉄筋コンクリート製のハーフプレキャスト部材であり、その上に場所打ちされるスラブコンクリートと一体となることによって床スラブとなる。
【００３３】
ｎ＋１階の柱部材配置工程は、図６に示すように、ｎ階用のプレキャスト梁部材Ｂnの柱部３にｎ＋１階用のプレキャスト柱部材Ｐn+1を載置し、プレキャスト柱部材Ｐn+1の下端部を柱部３に仮固定する工程である。
なお、プレキャスト柱部材Ｐn+1は、荷重受けボルト３ａ（図３の（ａ）参照）の上に載置する。また、必要に応じて荷重受けボルト３ａの突出長さを調整することで、プレキャスト柱部材Ｐn+1のレベル調整および鉛直度の調整を行う。
【００３４】
図４の（ａ）に示すように、ｎ＋１階の柱部材配置工程は、ｎ階のスラブコンクリート打設工程に先んじて行う。すなわち、ｎ＋１階の柱部材配置工程は、ｎ階においてスラブコンクリートを打設する前に開始する。本実施形態においては、ｎ階のクレーン作業（ｎ階の柱部材配置工程、梁部材配置工程および床部材配置工程）が完了した後、速やかにｎ＋１階の柱部材配置工程を開始し、ｎ＋１階の柱部材配置工程とｎ階のスラブ配筋工程とを並行して行う。
なお、鉄筋搬入のためのクレーン作業は頻繁に行う必要がなく、鉄筋搬入後はクレーン作業を殆ど必要としないので、柱部材配置工程とスラブ配筋工程を並行して行っても、両工程が遅滞することはない。
【００３５】
図６に示すように、本実施形態の柱部材配置工程では、仮設の柱固定治具５を利用して、プレキャスト柱部材Ｐn+1をプレキャスト梁部材Ｂnに仮固定する。
【００３６】
柱固定治具５は、柱部３とプレキャスト柱部材Ｐn+1との境界部分（柱部３の上面とプレキャスト柱部材Ｐn+1の下面との間に確保された隙間）を取り囲むように配置し、柱部３およびプレキャスト柱部材Ｐn+1の下端部に固定する。柱固定治具５の下縁は、スラブ天端と一致させるか、あるいはスラブ天端の上側に位置させる。柱固定治具５は、充填材注入用の型枠となるだけでなく、充填材の硬化前においてはプレキャスト柱部材Ｐn+1の転倒を防止する支持部材となるので、剛性・耐力の高い部材（例えば、溝形鋼やＨ形鋼といった鋼材など）にて形成する。図示は省略するが、柱部３およびプレキャスト柱部材Ｐn+1の下端部には、インサートナットが埋設されている。インサートナットには、柱固定治具５に挿通したボルトが螺着される。
なお、本実施形態では、型枠兼用の柱固定治具５を例示したが、型枠兼用であることは必須ではない。柱固定治具５が型枠兼用でない場合には、専用の型枠を別途設置すればよい。
【００３７】
ｎ＋１階の柱部材配置工程が完了したら、ｎ＋１階の梁部材配置工程に移行する。
なお、梁部材配置工程に移行する前に、プレキャスト梁部材Ｂｎの柱部３とプレキャスト柱部材Ｐn+1との境界部分に充填材（例えば、グラウトや高流動モルタルなど）を注入してもよいが、本実施形態では、柱固定治具５でプレキャスト柱部材Ｐn+1を仮固定しているので、充填材を注入する前あるいは注入した充填材が硬化する前であっても、ｎ＋１階の梁部材配置工程を行うことができる。柱固定治具５は、充填材が硬化した後に取り外す。
【００３８】
ｎ＋１階の梁部材配置工程は、図７に示すように、ｎ＋１階用のプレキャスト梁部材Ｂn+1のパネルゾーン１をｎ＋１階用のプレキャスト柱部材Ｐn+1に載置し、図８に示すように、パネルゾーン１をプレキャスト柱部材Ｐn+1の上端部に仮固定する工程である。
なお、プレキャスト梁部材Ｂn+1は、荷重受けボルト４ａ（図３の（ｂ）参照）の上に載置する。
【００３９】
図４の（ａ）に示すように、ｎ＋１階の梁部材配置工程は、本実施形態では、ｎ階のスラブコンクリート打設工程よりも前に開始し、梁部材配置工程の開始当初から途中までは、ｎ階のスラブ配筋工程と並行して行う。ｎ階のスラブ配筋工程が完了した後は、ｎ＋１階の梁部材配置工程を行いながら、ｎ階のスラブコンクリート打設工程を行う。
なお、スラブコンクリートは、圧送管を通して打設場所まで圧送されるため、クレーン作業を殆ど必要とせず、したがって、梁部材配置工程とスラブコンクリート打設工程を並行して行っても、両工程が遅滞することはない。
【００４０】
図８に示すように、本実施形態の梁部材配置工程では、仮設のサポート部材６を利用してプレキャスト梁部材Ｂn+1のレベル調整を行い、仮設の梁固定治具７を利用して、プレキャスト梁部材Ｂn+1をプレキャスト柱部材Ｐn+1に仮固定する。
【００４１】
サポート部材６は、ｎ＋１階用のプレキャスト柱部材Ｐn+1の側面から斜め上方に向かって立ち上がり、梁部２の下面に接合されている。サポート部材６は、長さ調節可能な構成（例えば、ねじ機構やジャッキなど）を具備している。サポート部材６で梁部２を仮支持した状態で、サポート部材６の長さを調節すると、プレキャスト梁部材Ｂn+1のレベル調整を行うことができる。
なお、本実施形態では、サポート部材６を一つだけ配置し、一つの梁部２のみを仮支持する場合を例示しているが、サポート部材６の数を限定する趣旨ではない。図示は省略するが、複数のサポート部材６を配置し、複数の梁部２を仮支持してもよい。また、サポート部材６に代えて、ｎ階用のプレキャスト梁部材Ｂnに立設した支保工でｎ＋１階用のプレキャスト梁部材Ｂn+1を仮支持してもよい。
【００４２】
梁固定治具７は、プレキャスト柱部材Ｐn+1とパネルゾーン１との境界部分（プレキャスト柱部材Ｐn+1の上面とパネルゾーン１の下面との間に確保された隙間）を跨ぐように配置し、プレキャスト柱部材Ｐn+1の上端部およびパネルゾーン１に固定する。梁固定治具７は、仮設ではあるものの、プレキャスト梁部材Ｂn+1の転落等を防止する支持部材となるので、剛性・耐力の高い部材（例えば、溝形鋼、Ｈ形鋼、山形鋼といった鋼材など）にて形成する。図示は省略するが、プレキャスト柱部材Ｐn+1の上端部およびパネルゾーン１には、インサートナットが埋設されている。このインサートナットには、梁固定治具７に挿通したボルトが螺着される。なお、プレキャスト柱部材Ｐn+1とパネルゾーン１との境界部分には、充填材用の型枠８を配置する。
【００４３】
ｎ＋１階の梁部材配置工程を行っている間にｎ階のスラブ配筋工程（ｎ階用のプレキャスト床部材Ｓｎの上にスラブ筋２ｃを敷設する工程）が完了したら、図９に示すように、ｎ階のスラブコンクリート打設工程を行う。スラブコンクリート打設工程では、ｎ階用のプレキャスト床部材Ｓｎの上にスラブコンクリートＣを打設するだけでなく、ｎ階用のプレキャスト梁部材Ｂｎの上および隣り合うプレキャスト梁部材Ｂｎ，Ｂｎの間（梁接合部Ｊ）にもコンクリートを打設する。
【００４４】
ｎ＋１階の梁部材配置工程が完了したら、図４の（ａ）に示すように、ｎ＋１階の床部材配置工程を行い、ｎ＋２階の柱部材配置工程および梁部材配置工程と並行してｎ＋１階のスラブ配筋工程およびスラブコンクリート打設工程を行う。ｎ＋２階以降についても同様である。
【００４５】
なお、床部材配置工程に移行する前に、プレキャスト柱部材Ｐn+1とプレキャスト梁部材Ｂｎ+1との境界部分に充填材を注入してもよいが、本実施形態では、梁固定治具７でプレキャスト梁部材Ｂn+1を仮固定しているので、充填材を注入する前あるいは注入した充填材が硬化する前であっても、ｎ＋１階の床部材配置工程を行うことができる。サポート部材６，梁固定治具７および型枠８は、充填材が硬化した後に取り外す。
【００４６】
本実施形態に係る柱梁架構の構築方法によれば、ｎ階スラブの完成を待たずして、ｎ＋１階用のプレキャスト柱部材Ｐn+1およびプレキャスト梁部材Ｂn+1を配置することができるので、ｎ階スラブの完成後に柱部材配置工程および梁部材配置工程を行う場合（図４の（ｂ）参照）に比べて、揚重機械の稼働率が向上し、ひいては、工期短縮を図ることが可能となる。すなわち、本実施形態に係る柱梁架構の構築方法によれば、ｎ階のスラブ配筋工程やスラブコンクリート打設工程と並行してｎ＋１階の柱部材配置工程および梁部材配置工程を行うことが可能となるので、図４に示すように、各階においてスラブ配筋工程およびスラブコンクリート打設工程に２日を要する場合であれば、１フロアにつき２日の工期短縮を図ることができる。
【００４７】
また、柱固定治具５を充填材用の型枠として利用することができるので、作業の効率化を図ることが可能となる。しかも本実施形態では、スラブ天端よりも上側に柱固定治具５を配置しているので、柱固定治具５がスラブコンクリート内に埋没することはなく、したがって、柱固定治具５の取り外しが容易になるとともに、柱固定治具５を再利用することが可能となる。
【００４８】
また、梁部材配置工程においてサポート部材６を使用しているので、プレキャスト梁部材Ｂを安定的に仮支持することができ、かつ、レベル調整を容易に行うことが可能となる。
【００４９】
しかも、建物Ａでは、基準階および前記基準階と同一構成の階においてパネルゾーン一体型のプレキャスト梁部材Ｂを使用しているので、プレキャスト化率が高まり、ひいては、工期短縮を図ることができる。また、プレキャスト梁部材Ｂは、一つのパネルゾーン１から張り出す梁部２の配置形態が「Ｉ型」、「Ｌ型」および「Ｔ型」のいずれかであるので、十字状のプレキャスト梁部材に比べて幅寸法が小さくなる。つまり、建物Ａによれば、基準階および前記基準階と同一構成の階に使用される複数のプレキャスト梁部材Ｂの総てが、トラックでの運搬に適した形状（トラックに積載可能な幅寸法を超え難い形状）となるので、運搬作業が容易になる。
【００５０】
なお、前記した実施形態においては、パネルゾーン１を一つだけ具備したＩ型プレキャスト梁部材ＢIおよびＴ型プレキャスト梁部材ＢTを例示したが、「一つのパネルゾーンから二つまたは三つの梁部が張り出すプレキャスト梁部材」には、図１０の（ａ）に示す「ＩＩ型」のプレキャスト梁部材ＢII、同図の（ｂ）に示す「ＴＴ型」のプレキャスト梁部材ＢTT、同図の（ｃ）に示す「ＩＴ型」のプレキャスト梁部材ＢIT、同図の（ｄ）に示す「ＩＬ型」のプレキャスト梁部材ＢIL、同図の（ｅ）に示す「ＴＬ型」のプレキャスト梁部材ＢTL、同図の（ｆ）に示す「ＬＬ型」のプレキャスト梁部材ＢLLなども含まれる。
【００５１】
より詳細に説明すると、図１０の（ａ）に示すＩＩ型プレキャスト梁部材ＢIIは、二つのパネルゾーン１，１と、平面視Ｉ字状（直線状）を呈するように配置された三つの梁部２，２，２と、各パネルゾーン１の上に設けられた短柱状の柱部３とを備えている。ＩＩ型プレキャスト梁部材ＢIIにおいても、一つのパネルゾーン１に着目すると、一つのパネルゾーン１から二つの梁部２，２が張り出していて、一つのパネルゾーン１から張り出す梁部２の配置形態が平面視Ｉ字状（Ｉ型）となっている。
【００５２】
また、図１０の（ｂ）に示すＴＴ型プレキャスト梁部材ＢTTは、二つのパネルゾーン１，１と、五つの梁部２，２，…と、各パネルゾーン１の上に設けられた短柱状の柱部３とを備えている。ＴＴ型プレキャスト梁部材ＢTTにおいても、一つのパネルゾーン１に着目すると、一つのパネルゾーン１から三つの梁部２，２，２が張り出していて、一つのパネルゾーン１から張り出す梁部２の配置形態が平面視Ｔ字状（Ｔ型）となっている。
【００５３】
図１０の（ｃ）に示すＩＴ型プレキャスト梁部材ＢITは、二つのパネルゾーン１，１と、四つの梁部２，２，…と、各パネルゾーン１の上に設けられた短柱状の柱部３とを備えている。ＩＴ型プレキャスト梁部材ＢITにおいても、一つのパネルゾーン１に着目すると、一つのパネルゾーン１から二つ又は三つの梁部２が張り出していて、一つのパネルゾーン１から張り出す梁部２の配置形態が平面視Ｉ字状（Ｉ型）又は平面視Ｔ字状（Ｔ型）となっている。
【００５４】
図１０の（ｄ）に示すＩＬ型プレキャスト梁部材ＢILは、二つのパネルゾーン１，１と、三つの梁部２，２，…と、各パネルゾーン１の上に設けられた短柱状の柱部３とを備えている。ＩＬ型プレキャスト梁部材ＢILにおいても、一つのパネルゾーン１に着目すると、一つのパネルゾーン１から二つの梁部２が張り出していて、一つのパネルゾーン１から張り出す梁部２の配置形態が平面視Ｉ字状（Ｉ型）又は平面視Ｌ字状（Ｌ型）となっている。
【００５５】
図１０の（ｅ）に示すＴＬ型プレキャスト梁部材ＢTLは、二つのパネルゾーン１，１と、四つの梁部２，２，…と、各パネルゾーン１の上に設けられた短柱状の柱部３とを備えている。ＴＬ型プレキャスト梁部材ＢTLにおいても、一つのパネルゾーン１に着目すると、一つのパネルゾーン１から二つ又は三つの梁部２が張り出していて、一つのパネルゾーン１から張り出す梁部２の配置形態が平面視Ｌ字状（Ｌ型）又は平面視Ｔ字状（Ｔ型）となっている。なお、四つの梁部２，２，…のうち、二つのパネルゾーン１，１を結ぶ梁部２に対して直交する方向に配置される二つの梁部２，２は、同じ方向（図１０の（ｅ）では右方向）に向かって張り出している。
【００５６】
図１０の（ｆ）に示すＬＬ型プレキャスト梁部材ＢLLは、二つのパネルゾーン１，１と、三つの梁部２，２，２と、各パネルゾーン１の上に設けられた短柱状の柱部３とを備えている。ＬＬ型プレキャスト梁部材ＢLLにおいても、一つのパネルゾーン１に着目すると、一つのパネルゾーン１から二つの梁部２が張り出していて、一つのパネルゾーン１から張り出す梁部２の配置形態が平面視Ｌ字状（Ｌ型）となっている。なお、三つの梁部２，２，２のうち、二つのパネルゾーン１，１を結ぶ梁部２に対して直交する方向に配置される二つの梁部２，２は、同じ方向（図１０の（ｆ）では右方向）に向かって張り出している。
【００５７】
図示は省略するが、本発明に係る柱梁架構の構築方法は、一つのパネルゾーンから四つの梁部が張り出す十字型のプレキャスト梁部材や一つの梁部のみからなる梁単独型のプレキャスト梁部材を含む建物に対しても適用することができる。
【符号の説明】
【００５８】
Ｐ（Ｐn，Ｐn+1）  プレキャスト柱部材
Ｂ（Ｂn，Ｂn+1）  プレキャスト梁部材
１  パネルゾーン
２  梁部
３  柱部
５  柱固定治具
【図１】
0005635939.tif 000002
【図２】
0005635939.tif 000003
【図３】
0005635939.tif 000004
【図４】
0005635939.tif 000005
【図５】
0005635939.tif 000006
【図６】
0005635939.tif 000007
【図７】
0005635939.tif 000008
【図８】
0005635939.tif 000009
【図９】
0005635939.tif 000010
【図１０】
0005635939.tif 000011